(57)【特許請求の範囲】
【請求項１】
半導体基板と、
前記半導体基板上に形成された複数の配線層と、
前記複数の配線層の最上層に形成されたパッドと、
前記パッド上に開口を有する無機絶縁膜からなる表面保護膜と、
前記表面保護膜上に形成された再配線と、
前記再配線上に形成され、且つ、ワイヤが接続されたパッド電極と、
を有し、
前記再配線は、前記パッド電極が搭載されたパッド電極搭載部と、前記パッドと接続された接続部と、前記パッド電極搭載部と前記接続部とを連結する延長配線部と、第１フィン部と、からなり、
前記パッド電極搭載部において、前記再配線と前記表面保護膜とは互いに接しており、
平面視にて、前記パッド電極搭載部は、２つの短辺と、２つの長辺とを含む長方形であり、
前記２つの短辺または前記２つの長辺の少なくとも一辺には、前記パッド電極搭載部の外側に延在して前記第１フィン部が接続されている、半導体装置。
【請求項２】
請求項１に記載の半導体装置であって、
前記パッド電極は、前記パッド電極搭載部の上面および側面を覆う、半導体装置。
【請求項３】
請求項１に記載の半導体装置であって、
前記再配線の膜厚は、前記パッドが形成された最上層配線層の膜厚の５倍以上である、半導体装置。
【請求項４】
請求項３に記載の半導体装置であって、
前記再配線は、銅膜を含む、半導体装置。
【請求項５】
請求項１に記載の半導体装置において、
前記第１フィン部は、前記２つの短辺の内の一方の辺に接続されており、
前記延長配線部は、前記２つの短辺のうちの他方の辺に接続されており、
前記延長配線部の配線幅は、前記２つの短辺の長さよりも小さい、半導体装置。
【請求項６】
請求項１に記載の半導体装置であって、
前記第１フィン部は、前記２つの長辺の内の一方の辺に接続されている、半導体装置。
【請求項７】
請求項５に記載の半導体装置であって、
前記ワイヤは、前記再配線の上部を、前記パッド電極搭載部から前記接続部に向かって延在している、半導体装置。
【請求項８】
請求項１に記載の半導体装置であって、
前記表面保護膜は、窒化シリコン膜からなり、
前記パッド電極搭載部において、前記再配線は、前記窒化シリコン膜の上面に接触している、半導体装置。
【請求項９】
請求項１に記載の半導体装置であって、
前記パッド電極は、金膜を含み、
前記ワイヤは、前記パッド電極上に形成され、且つ、前記金膜に接続されている、半導体装置。
【請求項１０】
（ａ）複数の配線層と、前記複数の配線層の最上層に形成されたパッドとを有する半導体基板を準備する工程、
（ｂ）前記パッド上に開口を有する無機絶縁膜からなる表面保護膜を形成する工程、
（ｃ）前記表面保護膜上に、前記開口を介して前記パッドに電気的に接続する再配線を形成する工程、
（ｄ）前記再配線上に、パッド電極を形成する工程、
（ｅ）ワイヤの先端にボールを形成し、前記ボールに第１方向の超音波振動を印加しながら、前記ボールを前記パッド電極に接続する工程、
を有し、
前記再配線は、前記パッド電極が搭載されたパッド電極搭載部と、前記パッドと接続された接続部と、前記パッド電極搭載部と前記接続部とを連結する延長配線部と、第１フィン部と、からなり、
前記パッド電極搭載部において、前記再配線と前記表面保護膜とは互いに接しており、
前記パッド電極搭載部は、２つの短辺と、２つの長辺とを含む長方形であり、
前記２つの短辺または前記２つの長辺の少なくとも一辺には、前記パッド電極搭載部の外側に延在して前記第１フィン部が接続されている、半導体装置の製造方法。
【請求項１１】
請求項１０に記載の半導体装置の製造方法において、
前記第１方向は、前記２つの長辺に沿う方向である、半導体装置の製造方法。
【請求項１２】
請求項１１に記載の半導体装置の製造方法において、
前記パッド電極は、前記パッド電極搭載部の表面を覆い、前記パッド電極搭載部の側壁に延在する、半導体装置の製造方法。
【請求項１３】
請求項１０に記載の半導体装置の製造方法において、
前記第１方向は、前記２つの短辺に沿う方向である、半導体装置の製造方法。
【発明の詳細な説明】
【技術分野】
【０００１】
本発明は、半導体装置およびその製造方法に関し、特に、半導体基板の主面上に形成された複数の配線層の上部に、金属膜で構成された再配線を有する半導体装置およびその製造方法に適用して有効な技術に関するものである。
【背景技術】
【０００２】
半導体装置は、例えばＣＭＩＳ(Complementary Metal Insulator Semiconductor)トランジスタなどの半導体素子が形成された半導体基板の上部に、例えばＣｕ（銅）またはＡｌ（アルミニウム）を主成分とする金属膜からなる配線が複数層形成され、複数層の配線のうち、最上層の配線の一部には、ボンディングパッド（パッド）が形成されている。そして、ボンディングパッドには、ボンディングワイヤなどが接続されている。
【０００３】
特開２００１−２１０６６８号公報（特許文献１）には、半導体チップ２の表面に長方形のパッド２ａが複数配列された半導体装置が開示されている。長方形のパッド２ａの各々は、配列方向に対して横方向に延在しており、パッド２ａにはワイヤ７が接続されている。
【０００４】
特開平６−３３３９７４号公報（特許文献２）の要約には、集積回路の側縁に沿って設けられるボンディングパッドを、ワイヤボンディング時の超音波振動方向に長辺を有する長方形状に形成することが開示されている。
【先行技術文献】
【特許文献】
【０００５】
【特許文献１】特開２００１−２１０６６８号公報
【特許文献２】特開平６−３３３９７４号公報
【発明の概要】
【発明が解決しようとする課題】
【０００６】
本願発明者が検討している再配線を有する半導体装置は、半導体チップと、半導体チップに接続されたワイヤと、半導体チップおよびワイヤを封止する封止体とを有する。半導体チップは、半導体素子と、半導体素子に電気的に接続された配線と、半導体素子に接続された配線よりも格段に低抵抗の再配線とを有し、封止体は、複数の外部端子を有している。そして、複数の外部端子は、半導体チップの再配線とワイヤで電気的に接続されている。
【０００７】
本願発明者は、半導体チップ（チップサイズ）の小型化を検討している段階で、ワイヤが半導体チップから剥がれるという課題を認識するに至った。つまり、半導体装置の信頼性が低下することが判明した。
【０００８】
したがって、再配線を有する半導体装置において、半導体装置の信頼性を向上させる技術が求められている。
【０００９】
その他の課題と新規な特徴は、本明細書の記述および添付図面から明らかになるであろう。
【課題を解決するための手段】
【００１０】
一実施の形態である半導体装置は、半導体基板上に形成された複数の配線層と、複数の配線層の最上層に形成されたパッドと、パッド上に開口を有する無機絶縁膜からなる表面保護膜と、表面保護膜上に形成された再配線と、再配線上に形成されたパッド電極と、パッド電極に接続されたワイヤと、を有する。そして、再配線は、パッド電極が搭載されたパッド電極搭載部と、パッドと接続された接続部と、パッド電極搭載部と接続部とを連結する延長配線部からなり、平面視にて、パッド電極搭載部は、長方形である。
【発明の効果】
【００１１】
一実施の形態によれば、再配線を有する半導体装置の信頼性を向上させることができる。
【図面の簡単な説明】
【００１２】
【図１】本発明の実施の形態である半導体装置が形成された半導体チップの全体平面図である。
【図２】図１の一部を拡大して示す平面図である。
【図３】図２のＡ−Ａ線に沿った断面図である。
【図４】本実施の形態の半導体装置の製造工程のプロセスフロー図である。
【図５】本実施の形態の半導体装置の製造工程中の断面図である。
【図６】図５に続く半導体装置の製造工程中の断面図である。
【図７】図６に続く半導体装置の製造工程中の断面図である。
【図８】図７に続く半導体装置の製造工程中の断面図である。
【図９】図８に続く半導体装置の製造工程中の断面図である。
【図１０】本実施の形態の半導体装置の製造工程中の平面図である。
【図１１】図９に続く半導体装置の製造工程中の断面図である。
【図１２】変形例である半導体装置の要部平面図である。
【発明を実施するための形態】
【００１３】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、応用例、詳細説明、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１４】
さらに、以下の実施の形態において、その構成要素（要素ステップ等も含む）は、特に明示した場合および原理的に明らかに必須であると考えられる場合等を除き、必ずしも必須のものではない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００１５】
以下、本発明の実施の形態を図面に基づいて詳細に説明する。なお、実施の形態を説明するための全図において、同一の機能を有する部材には同一または関連する符号を付し、その繰り返しの説明は省略する。また、複数の類似の部材（部位）が存在する場合には、総称の符号に記号を追加し個別または特定の部位を示す場合がある。また、以下の実施の形態では、特に必要なとき以外は同一または同様な部分の説明を原則として繰り返さない。
【００１６】
また、実施の形態で用いる図面においては、断面図であっても図面を見易くするためにハッチングを省略する場合もある。また、平面図であっても図面を見易くするためにハッチングを付す場合もある。
【００１７】
また、断面図および平面図において、各部位の大きさは実デバイスと対応するものではなく、図面を分かりやすくするため、特定の部位を相対的に大きく表示する場合がある。また、平面図と断面図が対応する場合においても、各部位の大きさを変えて表示する場合がある。
【００１８】
（実施の形態）
まず、本願発明者が検討している再配線を有する半導体装置について説明する。
【００１９】
本願発明者が検討している半導体装置は、半導体チップと、半導体チップに接続されたワイヤと、半導体チップおよびワイヤを封止する封止体とを有する。半導体チップには、複数の半導体素子と、複数の半導体素子を電気的に接続する多層配線層からなる配線と、配線に電気的に接続され、配線よりも格段に低抵抗であるＣｕを主成分とする再配線と、が形成されている。さらに、再配線は、多層配線層の最上層の配線層で形成された配線の一部分であるパッドに接続されている。最上層の配線層で形成された配線と再配線は、最上層の配線層を覆う表面保護膜で電気的に分離されているが、パッドを露出するように設けられた表面保護膜の開口を介して、再配線は配線のパッドと電気的に接続されている。再配線上には、ワイヤとの接続信頼性を向上させるために、Ａｕめっき層を含むパッド電極が形成されている。平面視において、再配線は、パッド電極を搭載するためのパッド電極搭載部と、パッド電極搭載部から延びる延長配線部と、配線の一部であるパッドと接続される接続部とを有しており、パッド電極搭載部は正方形である。
【００２０】
また、封止体には複数の外部端子（アウターリードまたは半田ボール等）が形成されており、外部端子は封止体内の内部端子（インナーリードまたはパッケージ基板に設けられて導体層）に接続されている。そして、ワイヤボンディング工程で、ワイヤの一端は、再配線上に設けられたパッド電極に接続され、ワイヤの他端は、封止体の内部端子に接続される。ワイヤボンディング工程では、ワイヤ先端に球状のボールを形成し、ワイヤ（つまり、ボール）に超音波振動を加えて、ボールをパッド電極に擦りつけながら接続をする。
【００２１】
パッド電極は、再配線のパッド電極搭載部を覆い、再配線の側壁まで延在している。平面視において、パッド電極も正方形となっており、その一辺は、ボール径より若干大きいサイズとしているが、パッド電極とパッド電極搭載部は、ワイヤの接続部がパッド電極からはみ出さない程度に、極力小さくしている。なぜなら、半導体チップ内には、多数のパッド電極が存在するため、パッド電極を縮小することが、半導体チップの小型化に効果的だからである。
【００２２】
また、従来構造において、表面保護膜は、窒化シリコン膜等の無機絶縁膜と、ポリイミド膜等の有機絶縁膜との積層構造であり、無機絶縁膜と再配線との間に有機絶縁膜が介在していた。しかしながら、有機絶縁膜が存在すると表面保護膜のパッド開口から所定の距離だけ離間してパッド電極を配置する必要があり、半導体チップの小型化を実現する上で障害となっていた。つまり、有機絶縁膜の膜厚が、無機絶縁膜の膜厚に比べ厚く、パッド開口の側壁がテーパ形状となっているため、平面視におけるパッド開口サイズが拡大することに起因している。そこで、本願発明者の検討している半導体装置においては、表面保護膜を無機絶縁膜のみとした。
【００２３】
しかしながら、無機絶縁膜からなる表面保護膜上に再配線を形成し、再配線上のパッド電極にワイヤボンディングを実施したところ、パッド電極下の再配線が表面保護膜から剥がれるという問題が発生した。
【００２４】
この問題について、本願発明者は、以下のように推定している。ワイヤボンディング工程では、超音波ボールボンディングが実施される。つまり、ワイヤ先端のボールには、半導体チップの表面に垂直な方向の押圧力（垂直応力と呼ぶ）と、表面に平行な方向の押圧力（水平応力を呼ぶ）が加えられている。これらの垂直応力および水平応力が、再配線を介して、表面保護膜と再配線との界面に伝達されるため、ワイヤ接続部における表面保護膜の表面にダメージが入り、再配線と表面保護膜の接着力が低下する。また、ワイヤボンディング工程では、パッド電極に対するワイヤ接続が完了した後、ワイヤを支持しているキャピラリーを、内部端子に向けて移動するが、その際に、ワイヤがキャピラリーの移動方向に引張り応力を受ける。この引張り応力によって、ワイヤ接続部の下が起点となって、ワイヤと一体に再配線が表面保護膜から剥離するものである。
【００２５】
また、ワイヤ接続部がパッド電極の中心からずれた場合、特に、延長配線部と逆方向にずれ、かつ、パッド電極の端部に至る位置にずれた場合に、剥離の頻度が高くなることも確認している。パッド電極の端部において、再配線と表面保護膜の接着力が低下し、その部分がめくれ上がる方向に引張り応力を受けるため、再配線（およびパッド電極）が表面保護膜から剥離するものと推定している。
【００２６】
本実施の形態は、上記の問題に対策したものであるが、上記の本願発明者が検討した半導体装置の構造は、本実施の形態の半導体装置の構造と同様であり、その説明も兼用できるため、説明を省略する箇所もある。改善された本実施の形態では、主にパッド電極の形状および再配線のパッド電極搭載部の形状が異なる。
【００２７】
本実施の形態および以下の実施の形態の半導体装置（半導体集積回路装置）は、例えば複数の半導体素子と、複数の半導体素子の上部に形成された複数層の配線（多層配線）と、複数層の内の最上層の配線に接続された複数の再配線を有する半導体チップを有し、複数の半導体素子を前記多層配線および複数の再配線により接続して構成される。
【００２８】
＜半導体装置について＞
図１は、半導体チップ１の一例を示す全体平面図、図２は、図１の破線Ｘで囲まれた領域の拡大平面図、図３は、図２のＡ−Ａ線に沿った断面図である。
【００２９】
図１は、４辺１ａ、１ｂ、１ｃおよび１ｄを有する正方形（または長方形）の半導体チップ１のデバイス面上に形成された再配線１２、１２ｄ、１２Ｇおよび１２Ｓのレイアウトの一例を示している。再配線１２、１２ｄ、１２Ｇおよび１２Ｓは、半導体チップ１の複数層の配線（図３に示す第１層Ａｌ配線５、第２層Ａｌ配線７、第３層Ａｌ配線９）に比べ、その膜厚および配線幅ともに大きいため、複数層の配線に比べ、非常に低インピーダンスである。再配線１２、１２ｄ、１２Ｇおよび１２Ｓは、例えば、信号入出力用の再配線１２と、電源（Ｖｃｃ、ＧＮＤ）供給用の再配線１２ｄおよび１２Ｇ、ならびに、内部回路間の接続用の再配線１２Ｓとして使用されている。
【００３０】
図１に示すように、半導体チップ１の周辺部には、半導体装置の外部接続端子を構成する複数の再配線１２が配置されており、再配線１２のそれぞれの一端には、パッド電極１３が形成されており、他端は、図２、３に示すように最上層の配線に形成されたパッド９ａに接続されている。パッド電極１３は、特に限定されないが、半導体チップ１の各辺１ａ、１ｂ、１ｃおよび１ｄに沿って一列に配置される。なお、パッド電極１３は、半導体チップ１の各辺１ａ、１ｂ、１ｃおよび１ｄに沿って千鳥状、あるいは３列以上の列となるように配置してもよいのは勿論である。図１に示すようにパッド電極１３に対して半導体チップ１の内側にパッド９ａが位置する場合と、パッド電極１３に対して半導体チップ１の外側（パッド電極１３が近接する辺１ａ、１ｂ、１ｃおよび１ｄの側）にパッド９ａが位置する場合がある。
【００３１】
また、図１に示す再配線１２ｄおよび１２Ｇは、電源（Ｖｃｃ、ＧＮＤ）供給用の再配線である。再配線１２ｄおよび１２Ｇの一端にはパッド電極１３が形成され、他端は半導体チップ１内の電源配線に形成されたパッド９ａに接続されているので、半導体チップ１の外部から供給された電源（Ｖｃｃ、ＧＮＤ）電圧を、半導体チップ１内の複数の電源配線に低インピーダンスで供給することができる。
【００３２】
また、図１に示す再配線１２Ｓは、半導体チップ１に形成された回路間または素子間を接続する配線として使用されている。したがって、再配線１２Ｓにはパッド電極１３は形成されていない。再配線１２Ｓの両端は、最上層の配線に形成されたパッド９ａに接続されている。
【００３３】
再配線１２、１２ｄ、１２Ｇおよび１２Ｓ上に配置されたパッド電極１３は、短辺と長辺を有する長方形であり、長辺の方向が、後述するワイヤボンディング工程における超音波の印加方向（図１ではＵＳ方向と表記）と一致するように配置されている。図１に示すように、４辺１ａ、１ｂ、１ｃおよび１ｄに沿って配置された全てのパッド電極１３の長辺は、ＵＳ方向と一致している。
【００３４】
図２は、信号入出力用の再配線１２の拡大平面図を示している。再配線１２は、パッド電極搭載部１２１、延長配線部１２２、および接続部１２３で構成されている。パッド電極搭載部１２１は、長方形のパッド電極１３が搭載される部分であり、長辺１２１ｘと短辺１２１ｙからなる長方形を有する。パッド電極搭載部１２１は、略長方形であれば良く、長辺１２１ｘと短辺１２１ｙの交差部は面取りまたは丸めが施されていても良い。接続部１２３は、再配線１２が配線９の一部であるパッド９ａに接続される部分であり、延長配線部１２２は、パッド電極搭載部１２１と接続部１２３とを連結しており、配線幅Ｗ１を有する。延長配線部１２２は、短辺１２１ｙから短辺１２１ｙに直交する方向に延在し、延長配線部１２２の配線幅Ｗ１は短辺１２１ｙの長さよりも狭い（小さい）。
【００３５】
接続部１２３は、所定の幅Ｗ２からなる正方形で構成されている。図２では、延長配線部１２２の配線幅Ｗ１は、接続部１２３の幅Ｗ２よりも小さいが、等しくても良い。接続部１２３の幅Ｗ２は、パッド電極搭載部１２１の短辺１２１ｙの長さよりも小さい。
【００３６】
パッド電極１３の平面形状は、パッド電極搭載部１２１と相似形であり、パッド電極搭載部１２１の拡大パターンを有する。パッド電極１３は、パッド電極搭載部１２１の上面（表面）の全体を覆い、側面まで連続的に延在して側面の一部も覆っている。接続部１２３において、再配線１２と接続された配線９は、半導体チップ１の内部に向かって延在している。
【００３７】
図３に示すように、例えばｐ型の単結晶シリコンからなる半導体基板１Ｐにはｐ型ウエル２および素子分離溝３が形成されており、素子分離溝３の内部には、例えば酸化シリコン膜からなる素子分離絶縁膜３ａが埋め込まれている。
【００３８】
上記ｐ型ウエル２内にはｎチャネル型ＭＩＳトランジスタ（Ｑｎ）が形成されている。ｎチャネル型ＭＩＳトランジスタ（Ｑｎ）は、素子分離溝３で規定された活性領域に形成され、ｐ型ウエル２内に形成されたソース領域ｎｓおよびドレイン領域ｎｄと、ｐ型ウエル２上にゲート絶縁膜ｎｉを介して形成されたゲート電極ｎｇとを有している。また、図示しないが、半導体基板１Ｐには、ｎ型ウエルが形成されており、ｎ型ウエル内にはｐチャネル型ＭＩＳトランジスタが形成されており、ソース領域およびドレイン領域と、ｎ型ウエル上にゲート絶縁膜を介して形成されたゲート電極とを有している。
【００３９】
上記ｎチャネル型ＭＩＳトランジスタ（Ｑｎ）およびｐチャネル型ＭＩＳトランジスタの上部には、半導体素子（例えば、ｎチャネル型ＭＩＳトランジスタＱｎまたはｐチャネル型ＭＩＳトランジスタ）間を接続する金属膜からなる配線が形成されている。半導体素子間を接続する配線は、一般に３層〜１０層程度の多層配線構造を有しているが、図３には、多層配線の一例として、Ａｌ合金を主体とする金属膜で構成された３層の配線層（第１層Ａｌ配線５、第２層Ａｌ配線７、第３層Ａｌ配線９）が示されている。配線層とは、各配線層で形成された複数の配線を纏めて表す場合に使用する。配線層の膜厚は、第２層の配線層は第１層の配線層より厚く、第３層の配線層は第２層の配線層よりも厚い。
【００４０】
ｎチャネル型ＭＩＳトランジスタ（Ｑｎ）と第１層Ａｌ配線５との間、第１層Ａｌ配線５と第２層Ａｌ配線７との間、および第２層Ａｌ配線７と第３層Ａｌ配線９との間には、それぞれ酸化シリコン膜などからなる層間絶縁膜４、６、８と、３層の配線間を電気的に接続するプラグｐ１、ｐ２、ｐ３が形成されている。
【００４１】
上記層間絶縁膜４は、例えば半導体素子を覆うように、半導体基板上１Ｐ上に形成され、第１層Ａｌ配線５はこの層間絶縁膜４上に形成される。第１層Ａｌ配線５は、例えば層間絶縁膜４に形成されたプラグｐ１を介して半導体素子であるｎチャネル型ＭＩＳトランジスタ（Ｑｎ）のソース領域ｎｓ、ドレイン領域ｎｄに電気的に接続される。ゲート電極ｎｇと第１層Ａｌ配線５との接続は図示していない。
【００４２】
第２層Ａｌ配線７は、例えば層間絶縁膜６に形成されたプラグｐ２を介して第１層Ａｌ配線５に電気的に接続される。第３層Ａｌ配線９は、例えば層間絶縁膜８に形成されたプラグｐ３を介して第２層Ａｌ配線７に電気的に接続される。プラグｐ１、ｐ２、ｐ３は金属膜、例えばＷ（タングステン）膜で構成される。
【００４３】
なお、多層配線（３層配線）を化学的機械研磨法(ＣＭＰ法)によりＣｕを主体とする金属膜で形成する場合は、配線とプラグとを一体に形成するデュアルダマシン法で形成してよいことは勿論である。また、層間絶縁膜４、６、８は、酸化シリコン膜（ＳｉＯ２）からなるが、炭素を含む酸化シリコン膜（ＳｉＯＣ膜）、窒素と炭素を含む酸化シリコン膜（ＳｉＣＯＮ膜）、フッ素を含む酸化シリコン膜（ＳｉＯＦ膜）の単層膜または積層膜で構成してよいことは勿論である。また、多層配線の第１層と第２層を、Ｃｕを主体とする金属膜で形成し、多層配線の最上層の配線層である第３層をＡｌ配線で形成しても良い。
【００４４】
多層配線の最上層の配線層である上記第３層Ａｌ配線９の上部には、ファイナルパッシベーション膜として、例えば酸化シリコン膜または窒化シリコン膜などの単層膜、あるいは酸化シリコン膜上に窒化シリコン膜を設けた積層膜からなる表面保護膜（保護膜、絶縁膜）１０が形成されている。そして、この表面保護膜１０に形成されたパッド開口（開口）１０ａの底部に露出した最上層の配線層である第３層Ａｌ配線９は、Ａｌパッドであるパッド（電極パッド、第１電極パッド）９ａを構成している。表面保護膜１０として、無機絶縁膜を用いることが肝要である。表面保護膜１０に有機絶縁膜を用いた場合、パッド開口１０ａが大きくなり、微細化に不向きである。表面保護膜１０を無機絶縁膜とすることで、微細化が可能となる。
【００４５】
上記第３層Ａｌ配線９は、パッド９ａに限らず、例えばパッド９ａに一体に形成される配線、パッド９ａに接続されない配線などを構成する。パッド９ａに接続されない配線は、半導体素子間あるいは回路間を電気的に接続し、半導体集積回路を構成する配線として使用される。
【００４６】
上記表面保護膜１０の上には、表面保護膜１０のパッド開口１０ａを通じてパッド９ａに電気的に接続された再配線１２が形成されている。再配線１２は、パッド開口１０ａを完全に埋めるように、パッド開口１０ａの内部に形成され、さらに、表面保護膜１０の上に延在している。
【００４７】
パッド９ａと再配線１２との間には、下地金属膜１１が介在している。下地金属膜１１は、パッド９ａに接触して電気的に接続されており、表面保護膜１０のパッド開口１０ａにおいて、表面保護膜１０の側面（側壁）および上面に沿って形成されている。下地金属膜１１は、上面と下面とを有し、上面は再配線１２と接しており、下面は、パッド９ａおよび表面保護膜１０に接している。下地金属膜１１は、下層のクロム膜と上層の銅シード膜の積層膜からなる。
【００４８】
また、再配線１２は、上面、下面および側面を有しており、再配線１２の下面は下地金属膜１１の上面と接している。再配線１２は、銅（Ｃｕ）を主成分とする銅メッキ膜１２ａと銅メッキ膜１２ａ上のニッケルメッキ膜１２ｂの積層構造からなる。また、下地金属膜１１も含めて再配線１２と呼ぶ場合もある。また、再配線１２は、銅メッキ膜１２ａのみで構成しても良い。したがって、再配線１２の下面とは、銅メッキ膜の下面または下地金属膜１１の下面を意味し、上面とはニッケルメッキ膜の上面または銅メッキ膜の上面を意味する。また、再配線１２の側面（側壁）とは、銅メッキ膜１２ａとニッケルメッキ膜１２ｂの積層構造の側面、または、下地金属膜１１、銅メッキ膜１２ａおよびニッケルメッキ膜１２ｂの積層構造の側面を意味する。下地金属膜１１および銅メッキ膜の膜厚は、それぞれ、２５０ｎｍおよび６μｍであり、ニッケルメッキ膜１２ｂは３μｍ程度である。ちなみに、第３層Ａｌ配線９の膜厚は、４００ｎｍ〜６００ｎｍであるので、再配線１２は、第３層Ａｌ配線９、言い換えると、パッド９ａが形成された配線９の１０倍以上の膜厚を有する低抵抗の配線である。つまり、再配線１２の膜厚は、パッド９ａが形成された配線９の膜厚よりも大きい。望ましくは、再配線１２の膜厚はパッド９ａが形成された配線９の膜厚の５倍以上、より望ましくは１０倍以上である。
【００４９】
下地金属膜１１中の銅シード膜は、銅メッキ膜１２ａを電解めっき法で形成するための膜であり、クロム膜は、銅メッキ膜１２ａに含まれる銅が表面保護膜１０中に拡散するのを防止するための膜である。ニッケルメッキ膜１２ｂは、銅メッキ膜１２ａの表面（上面）の酸化を防止するために設けられている。
【００５０】
再配線１２の上面および側面に接して、再配線１２のパッド電極搭載部１２１を完全に覆うようにパッド電極１３が形成されている。パッド電極１３は、ニッケル薄膜１３ａと、ニッケル薄膜１３ａ上の金薄膜１３ｂとの積層構造からなる。ニッケル薄膜１３ａは、再配線１２とパッド電極１３との接着性を向上させるために設けられており、その膜厚は０．５μｍ程度であり、金薄膜１３ｂは、後述するワイヤ２０とパッド電極１３との接着性を向上させるために設けられており、その膜厚は２μｍ程度である。
【００５１】
＜半導体装置の製造方法＞
次に、本実施の形態の半導体装置の製造方法について説明するが、本実施の形態の特徴である再配線の製造方法を中心に説明する。再配線の製造方法は、図３に示した断面に対応している。
【００５２】
図４は、本実施の形態の半導体装置の製造工程の一部を示すプロセスフロー図である。図５〜図９および図１１は、本実施の形態の半導体装置の製造工程中の断面図である。図１０は、本実施の形態の半導体装置の製造工程中の平面図である。
【００５３】
図５は、図４に示すプロセスフロー図の「半導体基板準備」工程（ステップＳ１）を説明する図面であり、複数の配線層とパッド９ａが形成された半導体基板１Ｐを準備する工程を示している。半導体基板１Ｐには、ｎチャネル型ＭＩＳトランジスタ（Ｑｎ）が形成された後、複数の配線層からなる配線が形成されている。具体的には、図３で説明したように、３層の配線層（第１層Ａｌ配線５、第２層Ａｌ配線７、第３層Ａｌ配線９）が形成されている。そして、第３層Ａｌ配線９の上部には、表面保護膜１０が形成されているが、表面保護膜１０は、パッド開口１０ａを有しており、最上層の配線層である第３層Ａｌ配線９のパッド開口１０ａから露出した部分が、パッド９ａとなっている。図５に示された断面構造は、図３で説明した通りである。
【００５４】
図６は、図４に示すプロセスフロー図の「下地金属膜形成」工程（ステップＳ２）、「ホト１（再配線）」工程（ステップＳ３）、および、「銅メッキ、ニッケルメッキ」工程（ステップＳ４）を説明する図面である。まず、「下地金属膜形成」工程（ステップＳ２）では、表面保護膜１０上に、パッド開口１０ａを介してパッド９ａに電気的に接続する下地金属膜１１をスパッタ法で形成（堆積）する。下地金属膜１１を構成するクロム膜の膜厚は５０ｎｍとし、銅シード膜は２００ｎｍとする。次に、「ホト１（再配線）」工程（ステップＳ３）では、下地金属膜１１上に、再配線１２を形成する領域を開口し、それ以外の領域を被覆するパターンを有するレジスト膜ＰＲ１を形成する。もちろん、レジスト膜ＰＲ１の開口部には、パッド９ａが位置している。さらに、「銅メッキ、ニッケルメッキ」工程（ステップＳ４）では、下地金属膜１１をシード電極とした電解めっき法により、レジスト膜ＰＲ１の開口部に銅メッキ膜１２ａおよびニッケルメッキ膜１２ｂを順次形成する。
【００５５】
図７は、図４に示すプロセスフロー図の「ホト２（パッド電極）」工程（ステップＳ５）を説明する図面である。レジスト膜ＰＲ１上に、パッド電極１３を形成する領域を開口し、それ以外の領域を被覆するパターンを有するレジスト膜ＰＲ２を形成する。レジスト膜ＰＲ２は、再配線１２の側壁を露出するパターンを有するため、ステップＳ３で再配線１２の側壁を覆っていたレジスト膜ＰＲ１は、一部除去される。
【００５６】
図８は、図４に示すプロセスフロー図の「ニッケルメッキ、金メッキ」工程（ステップＳ６）および「下地金属膜エッチ」工程（ステップＳ７）を説明する図面である。「ニッケルメッキ、金メッキ」工程（ステップＳ６）では、電解めっき法により、レジスト膜ＰＲ１およびＰＲ２の開口部にニッケル薄膜１３ａおよび金薄膜１３ｂを順次形成する。そして、レジスト膜ＰＲ１およびＰＲ２を除去したのち、再配線１２から露出した領域の下地金属膜１１を除去し、再配線１２の下部にのみ選択的に下地金属膜１１を残す。再配線１２から露出した領域とは、言い換えると、再配線１２の外側の領域、再配線１２が形成されていない領域である。こうして、パッド電極１３および再配線１２が完成する。
【００５７】
図９は、図４に示すプロセスフロー図の「ワイヤボンディング」工程（ステップＳ８）を説明する図面である。「ワイヤボンディング」工程（ステップＳ８）では、パッド電極１３の表面（つまり、金薄膜１３ｂの表面）にワイヤ２０を、超音波ボールボンディング法で接続する。ワイヤ２０の先端にボールを形成し、ボールに対して、図９の紙面の横方向に超音波振動を加えながら、パッド電極１３の主面に垂直な方向に押圧力を印加しながら、ボールをパッド電極１３に接続する。ワイヤ２０は、銅を主成分とし、微量の添加物などを含んでも良い。また、パラジウム膜などで銅線の表面を被覆した被覆ワイヤを用いても良い。
【００５８】
図１０に示すように、各パッド電極１３に接続されたワイヤ２０は、各パッド電極１３が併設する辺１ａ、１ｂ、１ｃおよび１ｄと交差して半導体チップ１の外側に延びている。
【００５９】
図１１は、図４に示すプロセスフロー図の「樹脂封止」工程（ステップＳ９）を説明する図面である。図１１に示すように、複数の再配線１２を有する半導体チップ１は、ダイパッド部２５Ｄに搭載され、複数のリード２５Ｌにワイヤ２０で電気的に接続されている。リード２５Ｌの一部（インナーリード部）、ダイパッド部２５Ｄ、半導体チップ１およびワイヤ２０を、例えば熱硬化性エポキシ樹脂などで封止し、封止体（封止樹脂）２６を形成する。リード２５Ｌは、封止体２６で覆われたインナーリード部（前述の内部端子）から封止体２６の外側に延在するアウターリード部（前述の外部端子）を有している。このように、半導体チップ１を封止体２６で封止したものも半導体装置（半導体集積回路装置）と呼ぶ場合が有る。本実施の形態では、再配線１２およびパッド電極１３は、直接、封止体２６と接触しているが、再配線１２およびパッド電極１３と封止体２６の間にポリイミド樹脂などを介在させても良い。
【００６０】
＜半導体装置およびその製造方法の特徴＞
以下に、本実施の形態の半導体装置およびその製造方法の主な特徴を説明する。
【００６１】
パッド電極１３および再配線１２のパッド電極搭載部１２１を長方形として、パッド電極１３およびパッド電極搭載部１２１を大きくしたことで、「ワイヤボンディング」工程において、表面保護膜１０が受ける応力が緩和されるため、表面保護膜１０の表面のダメージを低減でき、再配線１２が表面保護膜１０から剥がれるのを防止することができる。つまり、半導体装置の信頼性を向上させることが出来る。
【００６２】
本実施の形態では、平面視において、パッド電極搭載部１２１がパッド電極１３とほぼ等しい場合に、パッド電極１３およびパッド電極搭載部１２１を長方形にすることが肝要である。また、パッド電極搭載部１２１がパッド電極１３よりも広い（大きい）場合には、パッド電極１３を長方形にする必要はなく、正方形で良い。つまり、パッド電極搭載部１２１のみを長方形としても良く、パッド電極１３にかかる押圧力をパッド電極１３よりも広い（大きい）パッド電極搭載部１２１で受けることで、単位面積当たりの押圧力を低減でき、再配線１２が表面保護膜１０から剥がれるのを防止することができる。
【００６３】
本実施の形態では、長方形のパッド電極搭載部１２１の長辺１２１ｘを超音波の印加方向（ＵＳ方向）に揃えたが、すべての長方形のパッド電極搭載部１２１の長辺１２１ｘをＵＳ方向と直交する方向に配置しても良い。また、一部のパッド電極搭載部１２１の長辺１２１ｘは、ＵＳ方向と一致させ、他のパッド電極搭載部１２１の長辺１２１ｘは、ＵＳ方向と直交する方向に配置しても良い。例えば、半導体チップ１の辺１ａおよび１ｃに沿って配置されたパッド電極１３が形成されたパッド電極搭載部１２１は、その長辺１２１ｘをＵＳ方向に一致させ、辺１ｂおよび１ｄに沿って配置されたパッド電極１３が形成されたパッド電極搭載部１２１は、その長辺１２１ｘをＵＳ方向と直交する方向に配置しても良い。この構成により、辺１ｂおよび１ｄに沿って配置される再配線１２の数を増加することが出来る。
【００６４】
パッド電極１３および再配線１２のパッド電極搭載部１２１を長方形としたことで、ワイヤ接続部がパッド電極１３の中心から多少ずれたとしても、ワイヤ接続部がパッド電極１３の端部に至る位置までずれることがない。したがって、ワイヤ接続部の周囲では、再配線１２と表面保護膜１０の接着力が強固に保たれているので、ワイヤ２０が引張り応力を受けても、再配線１２の剥がれを防止することができる。
【００６５】
有機絶縁膜を用いることなく、無機絶縁膜からなる表面保護膜１０上に、直接、再配線１２を形成したので、半導体装置の小型化が可能となった。
【００６６】
＜変形例＞
図１２は、前記実施の形態の変形例である半導体装置の要部平面図である。
【００６７】
変形例は、前記実施の形態の図２で説明した再配線１２の長辺および短辺に、フィン部を設けた例である。
【００６８】
図１２に示すように、再配線１２の長方形を構成する２つの長辺１２１ｘおよび２つの短辺１２１ｙのうち、延長配線部１２２が接続された短辺１２１ｙ以外の３辺にはフィン部１２４が形成されている。フィン部１２４は、パッド電極搭載部１２１の長辺１２１ｘおよび短辺１２１ｙから、パッド電極搭載部１２１の外側に突出している。フィン部１２４は、再配線１２の一部であり、フィン部１２４の一部は、長方形のパッド電極１３で覆われているが、その他の部分はパッド電極１３から露出している。パッド電極搭載部１２１のうち、延長配線部１２２およびフィン部１２４が接続された部分以外では、パッド電極１３は、前記実施の形態と同様に再配線１２の側面を一部覆っている。
【００６９】
フィン部１２４の下には、下層の配線９のパッド電極９ａは配置されておらず、フィン部１２４の全域は表面保護膜１０と接触している。
【００７０】
フィン部１２４は、３辺に設ける場合に限定されるものではなく、パッド電極搭載部１２１の１つの長辺１２１ｘまたは１つの短辺１２１ｙだけに設けても良く、１つの長辺１２１ｘと１つの短辺１２１ｙだけに設けても良い。
【００７１】
変形例によれば、パッド電極搭載部１２１にフィン部１２４を設けたことで、再配線１２と表面保護膜１０の接着領域を増加することができる。また、ワイヤボンディング時に、パッド電極１３にかかる押圧力を、パッド電極１３よりも広い（大きい）パッド電極搭載部１２１で受けることで、単位面積当たりの押圧力を低減でき、再配線１２が表面保護膜１０から剥がれるのを防止することができる。
【００７２】
変形例の場合、パッド電極搭載部１２１を正方形として、そこにフィン部１２４を設けた構造としても良い。
【００７３】
また、長方形のパッド電極搭載部１２１にフィン部１２４を設け、正方形のパッド電極１３は、パッド電極搭載部１２１の中央部に配置しても良い。この場合、パッド電極１３は、パッド電極搭載部１２１より小さく、再配線１２の側壁には達していない。
【００７４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００７５】
ｎｄ  ドレイン領域
ｎｇ  ゲート電極
ｎｓ  ソース領域
ｐ１、ｐ２、ｐ３  プラグ
Ｑｎ  ｎチャネル型ＭＩＳトランジスタ
１  半導体装置（半導体チップ）
２  ｐ型ウエル
３  素子分離溝
３ａ  素子分離絶縁膜
４，６，８  層間絶縁膜
５、７、９  配線層（配線、Ａｌ配線）
９ａ  パッド
１０  表面保護膜
１０ａ  パッド開口
１１  下地金属膜
１２、１２ｄ、１２Ｇ、１２Ｓ  再配線
１２１  パッド電極搭載部
１２２  延長配線部
１２３  接続部
１２４  フィン部
１２ａ  銅メッキ膜
１２ｂ  ニッケルメッキ膜
１３  パッド電極
１３ａ  ニッケル薄膜
１３ｂ  金薄膜
２０  ワイヤ
２５Ｄ  ダイパッド部
２５Ｌ  リード
２６  封止体
【図１】
0006522980.tif 000002
【図２】
0006522980.tif 000003
【図３】
0006522980.tif 000004
【図４】
0006522980.tif 000005
【図５】
0006522980.tif 000006
【図６】
0006522980.tif 000007
【図７】
0006522980.tif 000008
【図８】
0006522980.tif 000009
【図９】
0006522980.tif 000010
【図１０】
0006522980.tif 000011
【図１１】
0006522980.tif 000012
【図１２】
0006522980.tif 000013